(57)【要約】【課題】  玄関の壁面にあらかじめ一対のレール部材を配置しておくことによって、手摺りや折畳み椅子などをきわめて簡単かつ容易に土間に敷設することのできる住宅における玄関構造を提供する。【解決手段】  玄関Gを構成する壁面Wの一部に、一対のレール部材１，２を、上下方向に所要間隔を存して固定するとともに、前記一対のレール部材１，２のいずれか一方及び／又は両方に、フック部材１６をスライド自在に装着し、前記フック部材１６を利用して、例えば、手摺り２０からなる構造物を取付けたもので、前記レール部材は、前記上方の張出し縁に形成された係合片の先端部を折り曲げて張出し縁と平行に形成した突出部と、下方の張出し縁の先端部に垂直に付設された係止片とによって形成される開口部を有する。また、前記フック部材は、前記レール部材に形成された係合片と当接するとともに、係合凹部と係合する係合凸部を有するものである。【選択図】        図１
2006006363.tif 000002
【特許請求の範囲】
【請求項１】
玄関を構成する壁面の一部に、一対のレール部材を、上下方向に所要間隔を存して固定するとともに、
前記一対のレール部材のいずれか一方及び／又は両方に、フック部材をスライド自在に装着し、
前記フック部材を利用して、手摺りや折畳み椅子などの構造物を取付けたこと
を特徴とする住宅における玄関構造。
【請求項２】
前記レール部材は、
横長の基板の前面部に上下方向に一対の張出し縁を一体的に形成し、上方の張出し縁の先端部裏面には、前記フック部材の差込み片と係合する係合片が形成され、下方の張出し縁の先端部上面には、フック部材に形成された係合凸部と係合する係合凹部が形成されていること
を特徴とする請求項１に記載の住宅における玄関構造。
【請求項３】
前記レール部材は、
前記上方の張出し縁に形成された係合片の先端部を折り曲げて張出し縁と平行に形成した突出部と、前記下方の張出し縁の先端部に垂直に付設された係止片とによって形成される開口部を有すること
を特徴とする請求項１又は２に記載の住宅における玄関構造。
【請求項４】
前記レール部材は、
下方の張出し縁の先端部に垂直に形成された係止片の背面上部に、長手方向に沿って突条を平行に配置し、この突条と前記係止片との間を係合凹部としたこと
を特徴とする請求項１又は２に記載の住宅における玄関構造。
【請求項５】
前記フック部材は、
前記レール部材に形成された係合片と当接するとともに、係合凹部と係合する係合凸部を有すること
を特徴とする請求項１〜４のいずれかに記載の住宅における玄関構造。
【請求項６】
前記構造物は、
手摺りであること
を特徴とする請求項１に記載の住宅における玄関構造。
【請求項７】
前記構造物は、
折り畳み可能な椅子であること
を特徴とする請求項１に記載の住宅における玄関構造。
【発明の詳細な説明】
【技術分野】
【０００１】
この発明は、戸建て住宅やマンションなどの集合住宅などにおける玄関構造に関するもので、より詳しくは、既設の玄関であっても、玄関手摺りや折り畳み式スツールなどの構造物を後付けでも容易に取付け、取外しができる玄関構造に関するものである。
【背景技術】
【０００２】
住宅における玄関は、一般的に靴などの履物を脱いだり、履いたりするタイルなどが敷設されたたたきと、廊下からに繋がるホール部分から構成されている。そして、履物を脱いだり、履いたりするに際し、その作業を容易にするため、例えば、特開２０００−６０６７４号公報（特許文献１）においては、平行な一対の縦柱部を有する枠体と、前記一対の縦柱部間に一端側を枢支連結し、上下方向に回動自在とした座板と、該座板の裏面側且つ回動自由端側に上端部分を枢支連結した一対の脚部材と、一端側を前記枠体側に枢支連結し、他端側を前記一対の脚部材に枢支連結し，前記座板と常時平行を維持する一対の横桟部材とから構成された壁備付け用折畳み椅子が提案されている。
【０００３】
また、特開２００２−８５１９６号公報（特許文献２）では、略平板状の座板部の一端を壁面に取付けられる基板の上方に枢支連結し、他端をフロント板兼用脚部材の上方部に枢支連結すると共に、前記一対の座板支持部材の下方に位置する一対の横桟部材の一端を前記基板の下方に枢支連結し、他端を前記フロント板兼用脚部材に枢支連結するものであって、当該折り畳み椅子の収納状態及び回動状態において、
前記座板支持部材と前記横桟部材とは互いに平行ではなく、かつ収納状態において、前記横桟部材の、上方の枢支連結部の中心位置は、前記座板支持部材の両枢支連結部間を結ぶ中心線より前方側にあることを特徴とする壁付け用折り畳み椅子が提案されている。
【特許文献１】特開２０００−６０６７４号公報（特許請求の範囲、図８）
【特許文献２】特開２００２−８５１９６号公報（特許請求の範囲、図１）
【発明の開示】
【発明が解決しようとする課題】
【０００４】
前記公知技術において、特許文献１に記載の発明は、明細書の「作用」の項の記載から容易に理解できるように、マンションやアパートの建設時に、玄関施工箇所にあらかじめ枠体が納める壁面部に、枠体と同形状の取付凹み部を形成しておき、その取付凹み部に前記の枠体を挿入し、その周囲を固め、枠体を壁面部に固定する方式であるので、折り畳み式スツールを後付けで装着することを想定したものではなく、後付けはできない訳ではないが、きわめて取付け作業が難しく、不要になった場合の修復作業も容易ではないなどの問題を有するものである。
【０００５】
また、特許文献２に記載の発明は、図１あるいは図５で示されるように、非並行リンク機構からなる折畳み椅子を、玄関の壁面にあらかじめ取付けた支持部材に、前記非並行リンク機構を形成する基板をネジ止めなどの手段によって固定するもので、後付けできるという効果は認められるものの、取付けや取外しは必ずしも容易ではなく、取外した後は、支持部材を固定した壁面を補修するなどの手当てを必要とするものである。
【０００６】
この発明はかかる現状に鑑み、玄関の壁面にあらかじめ一対のレール部材を配置しておくことによって、手摺りや折畳み椅子などをきわめて簡単かつ容易に土間に敷設することのできる住宅における玄関構造を提供せんとするものである。
【課題を解決するための手段】
【０００７】
前記の目的を達成するため、この発明の請求項１に記載の発明は、
玄関を構成する壁面の一部に、一対のレール部材を、上下方向に所要間隔を存して固定するとともに、
前記一対のレール部材のいずれか一方及び／又は両方に、フック部材をスライド自在に装着し、
前記フック部材を利用して、手摺りや折畳み椅子などの構造物を取付けたこと
を特徴とする住宅における玄関構造である。
【０００８】
また、この発明の請求項２に記載の発明は、
請求項１に記載の住宅における玄関構造において、
前記レール部材は、
横長の基板の前面部に上下方向に一対の張出し縁を一体的に形成し、上方の張出し縁の先端部裏面には、前記フック部材の差込み片と係合する係合片が形成され、下方の張出し縁の先端部上面には、フック部材に形成された係合凸部と係合する係合凹部が形成されていること
を特徴とするものである。
【０００９】
また、この発明の請求項３に記載の発明は、
請求項１又は２に記載の住宅における玄関構造において、
前記レール部材は、
前記上方の張出し縁に形成された係合片の先端部を折り曲げて張出し縁と平行に形成した突出部と、前記下方の張出し縁の先端部に垂直に付設された係止片とによって形成される開口部を有すること
を特徴とするものである。
【００１０】
また、この発明の請求項４に記載の発明は、
請求項１又は２に記載の住宅における玄関構造において、
前記レール部材は、
下方の張出し縁の先端部に垂直に形成された係止片の背面上部に、長手方向に沿って突条を平行に配置し、この突条と前記係止片との間を係合凹部としたこと
を特徴とするものである。
【００１１】
また、この発明の請求項５に記載の発明は、
請求項１〜４のいずれかに記載の住宅における玄関構造において、
前記フック部材は、
前記レール部材に形成された係合片と当接するとともに、係合凹部と係合する係合凸部を有すること
を特徴とするものである。
【００１２】
また、この発明の請求項６に記載の発明は、
請求項１に記載の住宅における玄関構造において、
前記構造物は、
手摺りであること
を特徴とするものである。
【００１３】
また、この発明の請求項７に記載の発明は、
請求項１に記載の住宅における玄関構造において、
前記構造物は、
折り畳み可能な椅子であること
を特徴とするものである。
【発明を実施するための最良の形態】
【００１４】
以下、この発明にかかる住宅における玄関構造の実施の一例を添付の図面に基づいて具体的に説明するが、この発明の住宅における玄関構造は、その要旨を変更しない範囲内において種々変更を加えることができ、実施例にのみ限定されるものではない。
【００１５】
図１は、この発明にかかる住宅における玄関構造の実施の一例を示す一部切欠き正面図であって、玄関Ｇを構成する壁面Ｗに、上下方向に所要の間隔を存して一対のレール部材１，２が、たたき３に対して並行となるよう横方向に配設固定されている。
【００１６】
このレール部材１，２は、図２で明らかなように、所要の幅と長さとを有し、垂直に配される基板１１の一方面に、長手方向に沿って一対の張出し縁１２，１３を上下方向に間隔を存して一体的に形成するとともに、前記上方の張出し縁１２の、先端部近傍の裏面には、先端部方向に傾斜させて係合片１２ａを突出形成し、その先端縁を張出し縁１２と平行に折り曲げて突出部１２ｂとし、その裏面には長手方向に沿って凹凸部１２ｃを形成したものである。
【００１７】
また、下方の張出し縁１３は、先端面に長さ方向に沿って基板１１と平行に係止片１３ａが、全体がＴ字状となるように一体的に形成されるとともに、この係止片１３ａの背後の張出し縁１３上面に、高さを前記係止片１３ａと等しくして突条１３ｂを長手方向に沿って形成して係合凹部１３ｃを形成したものである。
【００１８】
したがって、各レール部材１，２には、張出し縁１２の突出部１２ｂと張出し縁１３の係止片１３ａの上縁部との間に開口部１４が形成されるので、この開口部１４から後述するフック部材１６を挿入係着するものである。なお、図中、１５はレール部材１，２の上部を隠蔽するためのカバー部材である。また、レール部材１，２は、図示しないが、開口部１４と相対する基板１１の所要部位に透孔を形成し、この透孔に開口部１４側からビスを挿入してレール部材１，２を壁面Ｗに固着するものである。
【００１９】
前記フック部材１６は、壁面に取付けようとする構造物によって形状が異なるが、図３に示すものは、壁面Ｗに配置された一対のレール部材１，２を使用して手摺り２０を取付けるためのものである。このフック部材１６は、上下方向に貫通する手摺り挿通孔１６ｂを有するフック主体１６ａの一部に、前記レール部材１，２に形成された開口部１４から差込みが可能で、かつレール部材１，２に形成された開口部側に傾斜した係合片１２ａと密着する差込み片１７を有するとともに、その下方に張出し縁１３に形成された係合凹部１３ｃと契合する係合凸部１８を有するものである。
【００２０】
かかる形状のフック部材１６は、差込み片１７を開口部１４からレール部材１又は２内に挿入し、各レール部材１，２の張出し縁１２に形成された係合片１２ａの背面側において差込み片１７と係合片１２ａを当接させて一体化させるとともに、差込み片１７の下方に設けた係合凸部１８を、各レール部材１，２の張出し縁１３に形成した係合凹部１３ｃ内に落とし込み、もってフック部材１６がレール部材１又は２から離脱しないように装着したのち、図３に示すように、上下においてほぼ同位置にセットされたフック部材１６，１６にそれぞれ１本の手摺り２０を貫通させ、手摺り２０を図示しないビスでフック主体１６ａに固定して玄関用の手摺りを構成するものである。（図１参照）
【００２１】
図４に示されるフック部材１６Ａは、折畳み可能な椅子２５を下方のレール部材２に装着するためのもので、所要の幅と長さとを有する板状のフック主体１６ａの上端部に、斜め上方に延出する差込み片１７と、この差込み片１７の下端部に配される係合凸部１８とを一体的に形成するとともに、フック主体１６ａの下端部を背面側に折り曲げて係止部１６ｃを一体的に形成したものである。
【００２２】
この係止部１６ｃには、所要の長さを有し、全体が矩形状のプレート２１がネジ２２によって固着されるとともに、このプレート２１に、取付け板２３、座板２４および支持板２５からなる椅子２６が、折畳み可能な状態で装着されたもので、椅子２６の構造はプレート２１に折畳み可能な状態で装着することができるものであれば、特段の制限はないものである。
【００２３】
なお、前記折畳み可能な椅子２６を構成する支持板２５の下縁部には、支持板２５をたたき３上に安定して設置させるため、ボルトからなる高さ調整具２５ａが付設されているので、この高さ調整具２５ａを介して支持板２５はたたき３と確実に接触し、座板２４に安定した状態で腰を下ろすことができる。
【００２４】
図５に示すフック部材１６Ｂは、板状のフック主体１６ａの下端部をＵ字状に折り曲げてフック１６ｄを形成したもので、これを上方に配されたレール部材１に装着することによって、外出時に着用するコートや帽子などを自在に掛けることができる。
【００２５】
なお、レール部材１，２に装着されたフック部材１６，１６Ａ，１６Ｂは、いずれも長手方向に沿ってスライド自在であるので、当該フック部材の両側に、図示しないが、例えば小さなプレートとビスからなるストッパを設けて固定することが大切である。また、フック部材は、レール部材に対して着脱自在で、スライド移動させることができれば、その構造については特段の限定はないものである。
【００２６】
かかる構成からなるこの発明の玄関構造は、壁面に上下方向において一対のレール部材を配置し、このレール部材のいずれか一方、または両方にフック部材をスライド可能、かつ着脱自在に装着することによって、フック部材と一体の、もしくは別体の手摺りや折畳み可能な椅子を容易に装着することができ、レール部材を取外した壁面には、レール部材を固定するためのねじ孔が残るだけであるので、補修もきわめて容易なものである。
【図面の簡単な説明】
【００２７】
【図１】この発明にかかる住宅における玄関構造の一例を示す説明図である。
【図２】前記玄関構造を構成するレール部材の一例を示す一部切欠き斜視図である。
【図３】前記玄関構造を構成するフック部材の一例を示す側面図である。
【図４】前記玄関構造を構成するフック部材の他の例を示す側面図である。
【図５】前記玄関構造を構成するフック部材のさらに他の例を示す一部切欠き側面図である。
【符号の説明】
【００２８】
１，２    レール部材
３        たたき
Ｇ        玄関
Ｗ        壁面
１１      基板
１２      張出し縁
１２ａ    係合片
１２ｂ    突出部
１２ｃ    凹凸部
１３      張出し縁
１３ａ    係止片
１３ｂ    突条
１３ｃ    係合凹部
１４      開口部
１６      フック部材
１６ａ    フック主体
１７      差込み片
１８      係合凸部
【図１】
2006006363.tif 000003
【図２】
2006006363.tif 000004
【図３】
2006006363.tif 000005
【図４】
2006006363.tif 000006
【図５】
2006006363.tif 000007